(57)【要約】      （修正有）【課題】ブロック歪み等の符号化雑音による画像劣化を軽減する映像信号復号化装置を提供する。【解決手段】高能率符号化された映像信号を復号して再生画像を出力する映像信号復号化回路１１と、ピクチャ毎のイントラマクロブロックの発生数を算出するイントラマクロブロック検出回路１９、あるいはピクチャ間の電力差分を決定する電力差分決定回路と、前記イントラマクロブロック発生数あるいは前記電力差分に基づいて低域通過フィルタの特性を変化させる特性可変低域通過フィルタとを備える。【選択図】図１
2005312072.tif 000002
【特許請求の範囲】
【請求項１】
高能率符号化された映像信号データを復号して再生画像を出力する映像信号復号化装置において、ピクチャ間の電力差分を決定する電力差分決定回路と、前記電力差分に基づいてフィルタ特性指定信号を出力するフィルタ特性決定回路と、前記フィルタ特性指定信号に基づいてフイルタ特性を変化させる特性可変低域通過フィルタを備えたことを特徴とする映像信号復号化装置。
【請求項２】
高能率符号化された映像信号データを復号して再生画像を出力する映像信号復号化装置において、特定領域または特定画素を選択する領域選択回路と、前記領域選択回路により選択された特定領域または特定画素におけるピクチャ間の電力差分を決定する電力差分決定回路と、前記電力差分に基づいてフィルタ特性指定信号を出力するフィルタ特性決定回路と、前記フィルタ特性指定信号に基づいてフイルタ特性を変化させる特性可変低域通過フィルタを備えたことを特徴とする映像信号復号化装置。
【発明の詳細な説明】
【技術分野】
【０００１】
この発明は、高能率符号化されたディジタル映像信号等を復号する映像信号復号化装置に関する。
【背景技術】
【０００２】
図８は、下記の非特許文献１に示された従来の映像信号復号化装置のブロック図であり、図において、１０１は符号化データ、１１は可変長復号化回路、１２は逆スキャン回路、１３は逆量子化回路、１４は逆ＤＣＴ回路、１５は動き補償回路、１６は復号画像生成回路、１０７は復号画像信号である。
【０００３】
次に、動作について説明する。入力端子１０から入力された符号化データ１０１は、可変長復号化回路１１で可変長復号化される。その際、逆スキャンを行うために必要な制御信号、逆量子化をするのに必要な制御信号、逆ＤＣＴを行うのに必要な制御信号、動き補償を行うために必要な制御信号、復号画像を生成するために必要な制御信号等を復号する。可変長復号化回路１１で復号された信号１０２は逆スキャン回路１２で逆スキャンされ、逆量子化回路１３で逆量子化され、逆ＤＣＴ回路１４で逆ＤＣＴされ、動き補償回路１５で動き補償され、復号画像生成回路１６で復号画像信号１０７が生成され、出力端子１７から出力される。
【０００４】
この様な過程により生成された復号画像の品質は、符号化ビットレートや符号化画像の性質に依存しており、フレーム毎やブロック毎等で異なる。例えば画像の動きが激しかったり、画像がシーンチェンジ等を起こしたりするとブロック歪みと呼ばれる符号化雑音等が発生し、復号画像の品質を低下させてしまう。
【非特許文献１】ＩＳＯ／ＩＥＣ  １３８１８−２  Ｄｒａｆｔ  Ｉｎｔｅｒｎａｔｉｏｎａｌ  Ｓｔａｎｄａｒｄ
【発明の開示】
【発明が解決しようとする課題】
【０００５】
従来の映像信号復号化装置は以上のように構成されているので、例えば符号化レートが低いシステムにおいて動きの激しい画像やシーンチェンジを起こした画像を復号すると、ブロック歪み等の符号化雑音を発生し、復号画像の劣化が目立ってしまうという問題点があった。
【０００６】
この発明は上記のような問題点を解消するためになされたもので、符号化雑音による画像劣化を軽減する映像信号復号化装置を提供することを目的とする。
【課題を解決するための手段】
【０００７】
この発明は、ピクチャ毎のイントラマクロブロックの発生数を算出するイントラマクロブロック検出回路と、前記イントラマクロブロックの発生数に基づいてフィルタ特性指定信号を出力するフィルタ特性決定回路と、前記フィルタ特性指定信号に基づいてフイルタ特性を変化させる特性可変低域通過フィルタを備えた映像信号復号化装置を提供する。
【０００８】
この発明はまた、ピクチャ間の電力差分を決定する電力差分決定回路と、前記電力差分に基づいてフィルタ特性指定信号を出力するフィルタ特性決定回路と、前記フィルタ特性指定信号に基づいてフイルタ特性を変化させる特性可変低域通過フィルタを備えた映像信号復号化装置を提供する。
【０００９】
この発明はまた、特定領域または特定画素を選択する領域選択回路と、前記領域選択回路により選択された特定領域または特定画素におけるピクチャ間の電力差分を決定する電力差分決定回路と、前記電力差分に基づいてフィルタ特性指定信号を出力するフィルタ特性決定回路と、前記フィルタ特性指定信号に基づいてフイルタ特性を変化させる特性可変低域通過フィルタを備えた映像信号復号化装置を提供する。
【００１０】
この発明はまた、ＤＣＴタイプに基づいてフィールド／フレームに適応的にフィルタ処理を行う手段を備えた映像信号復号化装置を提供する。
【発明の効果】
【００１１】
この発明は、以上説明したように構成されているので、以下に示すような効果を奏する。
【００１２】
ピクチャ毎のイントラＭＢの発生数に基づいて低域通過フィルタ特性を定め、前記低域通過フィルタを復号画像に施すことにより、解像度劣化を認知することなく符号化雑音を軽減できる。
【００１３】
また、ピクチャ間の電力差分値に基づいて低域通過フィルタ特性を定め、前記低域通過フィルタを復号画像に施すことにより、解像度劣化を認知することなく符号化雑音を軽減できる。
【００１４】
また、特定領域或いは特定画素におけるピクチャ間の電力差分値に基づいて低域通過フィルタ特性を定め、前記低域通過フィルタを復号画像に施すことにより、解像度劣化を認知することなく符号化雑音を軽減でき、装置の構成を簡略化することができる。
【００１５】
また、マクロブロックのＤＣＴタイプに基づいてフィールドかフレームで適応的にフィルタ処理を復号画像に施すことにより、符号化雑音を軽減できる。
【発明を実施するための最良の形態】
【００１６】
この発明の実施の形態である映像信号復号化装置においては、ピクチャ毎のイントラマクロブロックの発生数に基づいて低域通過フィルタ特性を定め、前記低域通過フィルタを復号画像に施すため、視覚的解像度劣化を認知することなく符号化雑音を軽減するように働く。
【００１７】
また、ピクチャ間の電力差分に基づいて低域通過フィルタ特性を定め、前記低域通過フィルタを復号画像に施すため、視覚的解像度劣化を認知することなく符号化雑音を軽減するように働く。
【００１８】
さらに、特定領域または特定画素におけるピクチャ間の電力差分に基づいて低域通過フィルタ特性を定め、前記低域通過フィルタを復号画像に施すため、映像信号復号化装置の回路構成を簡略化するように働く。
【００１９】
また、ＤＣＴタイプに基づいてフィールド／フレームで適応的に低域通過フィルタを復号画像に施すため、符号化雑音を軽減するように働く。
【００２０】
以下、この発明をその実施の形態を示す画面に基づいて具体的に説明する。
実施の形態１．
図１はこの発明の実施の形態１である映像信号復号化装置を示すブロック図である。図８と同一符号はそれぞれ同一または相当部分を示しており、１０１は符号化データ、１１は可変長復号化回路、１２は逆スキャン回路、１３は逆量子化回路、１４は逆ＤＣＴ回路、１５は動き補償回路、１６は復号画像生成回路、１０７は復号画像信号、１９は、フレーム内符号化されたマクロブロック（イントラＭＢ）を計数するイントラＭＢ検出回路、２０は前記イントラＭＢ検出回路１９が出力する信号に応じてフィルタ特性指定信号１１２を出力するフィルタ特性決定回路、１８は前記フィルタ特性決定回路２０が発生したフィルタ特性指定信号１１２に応じてフイルタ特性を変化させる特性可変低域通過フィルタであり、復号画像生成回路１６からの復号画像信号１０７に対しフィルタ処理して出力画像信号１０８を出力する。
【００２１】
次に、この発明の実施の形態１の動作について説明する。図において、入力端子１０から入力された符号化データ１０１は、可変長復号化回路１１において可変長復号される。この際、復号されるマクロブロック（ＭＢ）と呼ばれる１６画素×１６ラインの小ブロックが、フレーム内符号化（イントラ符号化）されたものか、それ以外かを示す情報コードが復号され、その信号１０９がイントラＭＢ検出回路１９に入力される。また同時に、復号するピクチャがフレーム内符号化されたＩピクチャか、前方向フレーム間符号化されたＰピクチャか、双方向フレーム間符号化されたＢピクチャかを示す情報コードも復号され、そのピクチャタイプ信号１１０がイントラＭＢ検出回路１９に入力される。ＭＢ検出回路１９ではピクチャ毎のイントラＭＢの発生数を算出し、それに基づいてフィルタ特性決定回路２０においてフィルタ特性指定信号１１２を特性可変低域通過フィルタ１８に出力する。
【００２２】
なお、前述した、ＭＢがフレーム内符号化（イントラ符号化）されたものか、それ以外かを示す情報コードや、復号するピクチャがフレーム内符号化されたＩピクチャか、前方向フレーム間符号化されたＰピクチャか、双方向フレーム間符号化されたＢピクチャかを示す情報コード等は、動画像符号化の国際標準であるＩＳＯ／ＩＥＣ  １３８１８−２等に規定されているものである。
【００２３】
一方、可変長復号された符号化データ１０２は、逆スキャン回路１２、逆量子化回路１３、逆ＤＣＴ回路１４、動き補償回路１５、復号画像生成回路１６を経て特性可変低域通過フィルタ１８に入力され、特性可変低域通過フィルタ１８は、フィルタ特性決定回路２０からのフィルタ特性指定信号１１２に応じて復号画像信号１０７に対しフィルタ処理を行い、出力画像信号１０８を出力する。
【００２４】
このようにして、ピクチャ毎のイントラＭＢの発生数に応じて特性を適応的に変化させたフィルタにより復号画像を処理することで、符号化雑音の軽減を図ることができる。この理由を以下に詳しく説明する。
【００２５】
ＩＳＯ／ＩＥＣ  １３８１８−２等の高能率符号化方式では、復号画像の画質は符号化レートや符号化画像の性質に依存し、フレーム毎、または局所的な画像領域毎に異なる。例えば符号化レートの低いシステムにおいて、画像がシーンチェンジを起こした場合等は、ブロック歪と呼ばれる符号化雑音が発生する。このブロック歪は高周波成分を含んでいるため、一般にこのような符号化雑音を軽減する方法として、復号化画像に低域通過フィルタ処理を施す方法が考えられる。ところが上記低域フィルタ処理は復号画像の解像度劣化を引き起こすという弊害がある。よって前記低域通過フィルタの通過帯域を適応的に変化させることにより、符号化雑音を効果的に軽減する必要がある。
【００２６】
実施の形態１では、ピクチャ毎のイントラＭＢの発生数に基づいて上記低域通過フィルタの帯域を変化させている。ところで、ＩＳＯ／ＩＥＣ  １３８１８−２等の高能率符号化方式では、符号化画像にＩピクチャ、Ｐピクチャ、Ｂピクチャという３つのタイプを規定している。Ｉピクチャはフレーム内符号化（イントラ符号化）され、Ｐピクチャは前記Ｉピクチャ、またはＰピクチャを参照し、前方向の動き補償からフレーム間符号化され、Ｂピクチャは時間的に前後に位置する前記Ｉピクチャ、Ｐピクチャを参照し、両方向の動き補償からフレーム間符号化される。
【００２７】
ピクチャはマクロブロック（ＭＢ）と呼ばれる１６画素×１６ラインの小ブロックから構成されており、ＩピクチャのＭＢは全てフレーム内符号化（イントラＭＢ）されている。そしてＰピクチャ、ＢピクチャのＭＢは、通常フレーム間符号化されているが、シーンチェンジを含んだり、符号化画像の動きが非常に大きい場合等フレーム間符号化を行っても圧縮効率が悪い時は、フレーム内符号化されたＭＢ（イントラＭＢ）を含む場合がある。従って、Ｐピクチャ、ＢピクチャであるにもかかわらずイントラＭＢが多く含まれる場合は、シーンチェンジを含んだり符号化画像の動きが非常に大きいため、ブロック歪等の符号化雑音が発生することになる。
【００２８】
実施の形態１では、イントラＭＢ検出回路から発生されるイントラＭＢ発生数に基づいて、フィルタ特性決定回路２０が前記イントラＭＢ発生数が閾値以上の時は特性可変低域通過フィルタの通過帯域を狭くし、閾値以下の時は通過帯域を広くするように制御するので、符号化雑音が顕著な画像にのみ低域通過フィルタ処理を施すため、再生画像の解像度劣化を目立たせずに符号化雑音を軽減することができる。
【００２９】
図２は、この実施の形態１の特性可変低域通過フィルタ１８の一例を示すブロック図である。図において、入力端子２１から入力された復号画像信号１０７は、１ライン遅延回路２２及び乗算器２４に入力される。１ライン遅延回路２２の出力１１４は、１ライン遅延回路２３及び乗算器２５に入力される。１ライン遅延回路２３の出力１１５は、乗算器２６に入力される。一方、入力端子３５から入力されたフィルタ特性指定信号１１２は乗算係数発生回路３６に入力され、乗算器２４，２５，２６にそれぞれ乗算係数１２６，１２７，１２８が入力される。そして乗算器２４の出力１１６、乗算器２５の出力１１７、乗算器２６の出力１１８はそれぞれ加算器２７に入力される。
【００３０】
加算器２７の出力１１９は１サンプル遅延回路２８及び乗算器３０に入力される。１サンプル遅延回路２８の出力１２０は１サンプル遅延回路２９及び乗算器３１に入力される。１サンプル遅延回路２９の出力１２１は乗算器３２に入力される。一方、入力端子３５からフィルタ特性指定信号１１２が入力された乗算係数発生回路３６から、乗算器３０、３１、３２にそれぞれ乗算係数１２９、１３０、１３１が入力される。そして乗算器３０の出力１２２、乗算器３１の出力１２３、乗算器３２の出力１２４はそれぞれ加算器３３に入力される。そして加算器３３から出力端子１７に出力画像信号１０８が出力される。
【００３１】
この特性可変低域通過フィルタ１８のフィルタ構成は、画面上における垂直方向低域通過フィルタと水平方向低域通過フィルタを縦続させた２次元フィルタ構成となっており、フィルタ特性決定回路２０からのフィルタ特性指定信号１１２が乗算係数発生回路３６に入力され、前記２次元フィルタの乗算器の係数を変更することで低域通過フィルタの特性を変更するように構成されている。
【００３２】
なお、イントラＭＢを示す情報コードはＭＢ毎に定められているので、このフィルタ特性の変更は、ピクチャ毎でも、マクロブロック毎でもよい。
【００３３】
この実施の形態１では、可変長復号化回路１１が、当該ピクチャがＩピクチャ、Ｐピクチャ、Ｂピクチャのいずれのタイプかを示すピクチャタイプ信号１１０をイントラＭＢ検出回路１９に出力しているが、これは省略することができる。例えば画面サイズが７２０画素×４８０ラインの場合、１６画素×１６ラインのＭＢは１３５０個含まれる。通常、Ｐピクチャ、Ｂピクチャの全てのＭＢがイントラＭＢである可能性は低いため、イントラＭＢが１３５０個ある場合は当該ピクチャはＩピクチャであると判断することができる。
【００３４】
さらに、この実施の形態１では、ピクチャ毎のイントラＭＢ発生数が閾値以上のとき、通過帯域を狭くし、閾値以下のとき、通過帯域を広くなるように制御したが、閾値以上のときにフィルタ処理を行い、閾値以下のときにフィルタ処理を行わないというような制御方法としてもよい。
【００３５】
さらに、装置の負荷軽減等の理由により、特定領域においてピクチャ毎のイントラＭＢの発生数を算出する方法としてもよい。
【００３６】
実施の形態２．
図３はこの発明の実施の形態２である映像信号復号化装置を示すブロック図で、図１と同一符号はそれぞれ同一または相当部分を示しており、３７は電力差分決定回路である。
【００３７】
次に、実施の形態１と同一構成部分はそれぞれ同様に動作するので説明を省略し、異なる部分の動作について説明する。復号画像生成回路１６からの復号画像信号１０７は、特性可変低域通過フィルタ１８に入力される。また、前記復号画像信号１０７は、電力差分決定回路３７にも入力される。
前記電力差分決定回路３７は前記復号画像生成回路１６からの復号画像信１０７を利用して、ピクチャ間の電力差分を算出する。例えば復号画像の画面サイズを７２０画素×４８０ラインとしたとき、電力差分は次の様に算出することができる。第ｎ番目の復号画像における（ｉ，ｊ）成分の画素値をｖａｌ（ｎ，ｉ，ｊ）とし、第ｎ＋１番目の復号画像における（ｉ，ｊ）成分の画素値をｖａｌ（ｎ＋１，ｉ，ｊ）としたとき、ピクチャ間の電力差分値ｐｏｗｅｒは次式で表すことができる。
【００３８】
【数１】
2005312072.tif 000003
【００３９】
電力差分決定回路３７は以上の様に電力差分値を算出し、電力差分信号１３３をフィルタ特性決定回路２０に出力する。フィルタ特性決定回路２０は前記電力差分信号１３３に基づいてフィルタ特性指定信号１１２を特性可変低域通過フィルタ１８に出力する。特性可変低域通過フィルタ１８は、前記フィルタ特性指定信号１１２に基づいて周波数特性を変化させ、復号画像信号１０７にフィルタ処理を施す。
【００４０】
このように、この実施の形態２では、ピクチャ間の電力差分値に基づいて特性を変化させたフィルタ処理を復号画像信号に施している。ピクチャ間の電力差分値はシーンチェンジの指標となり、電力差分値が閾値以上の場合はそこでシーンチェンジが発生し、ブロック歪等の符号化雑音が発生すると考えられる。よって、電力差分値が閾値以上の場合は、特性可変低域通過フィルタ１８の通過帯域を狭くし、電力差分値が閾値以下の場合には通過帯域を広くするように制御する。このようにして、復号画像生成回路１６から出力された復号画像信号１０７に、特性可変低域通過フィルタ処理を施すことにより、解像度劣化を目立たせずに符号化雑音を軽減することができる。
【００４１】
なお、電力差分値の算出の方法は上記に示したものに限らない。さらに電力差分値は、復号画像信号１０７から算出しなければならないわけではなく、例えば、動き補償回路の出力信号１０６からも容易に算出することができる。
【００４２】
さらに、この実施の形態２では、ピクチャ間の電力差分値が閾値以上のとき、通過帯域を狭くし、閾値以下のとき、通過帯域を広くなるように制御したが、閾値以上のときにフィルタ処理を行い、閾値以下のときにフィルタ処理を行わないというような制御方法としてもよい。
【００４３】
実施の形態３．
図４はこの発明の実施の形態３である映像信号復号化装置のブロック図で、図３と同一符号はそれぞれ同一又は相当部分を示しており、３８は復号画像信号１０７の特定領域を選択する領域選択回路である。
【００４４】
次に、実施の形態２と異なる部分の動作について説明する。復号画像生成回路１６から出力される復号画像信号１０７は特性可変低域通過フィルタ１８に入力される。また領域選択回路３８にも入力される。領域選択回路３８は復号画像信号１０７から電力差分を算出する対象領域を選択し、選択された領域の復号画像信号１３４を電力差分決定回路３７に出力する。電力差分決定回路３７は領域選択回路３８により選択された領域において電力差分を算出し、その電力差分信号１３３をフィルタ特性決定回路２０に出力する。フィルタ特性決定回路２０は前記電力差分信号１３３に基づいてフィルタ特性指定信号１１２を特性可変低域通過フィルタ１８に出力する。特性可変低域通過フィルタ１８は、前記フィルタ特性指定信号１１２に基づいて周波数特性を変化させ、復号画像信号１０７にフィルタ処理を施す。
【００４５】
このように、この実施の形態３では、特定領域におけるピクチャ間の電力差分値に基づいて、特性を変化させたフィルタ処理を復号画像信号に施しているため、再生画像の解像度劣化を目立たせずに符号化雑音を軽減することができる。その理由および特性可変低域通過フィルタの制御動作については、実施の形態２の説明文中で詳しく述べた。
【００４６】
さらに、画面全体にわたり電力差分を算出しないので、装置の構成を簡略化することができる。
【００４７】
なお、画面のどの部分を特定領域とするかは問わないが、例えば画像の中央付近等が考えられる。また特定領域は変更してもよい。
【００４８】
さらに、復号画像信号１０７から選択領域を選択しなければならないわけではない。例えば動き補償回路の出力１０６からも容易に選択することができる。
【００４９】
また、この実施の形態３では電力差分算出対象として特定領域を選んだが、特定画素でもよい。
【００５０】
さらに、この実施の形態３では特定領域におけるピクチャ間の電力差分値が閾値以上のとき、通過帯域を狭くし、閾値以下のとき、通過帯域を広くなるように制御したが、閾値以上のときにフィルタ処理を行い、閾値以下のときにフィルタ処理を行わないというような制御方法としてもよい。
【００５１】
実施の形態４．
図５はこの発明の実施の形態４である映像信号復号化装置のブロック図である。図１と同一符号はそれぞれ同一または相当部分を示している。動画像符号化の国際標準規格であるＩＳＯ／ＩＥＣ  １３８１８−２では、マクロブロック（ＭＢ）がフィールドでＤＣＴされたか、フレームでＤＣＴされたかを示すＤＣＴタイプと呼ばれる情報コードを規定しており、１３５は前記ＤＣＴタイプ信号である。３９は、可変長復号化回路１１からの前記ＤＣＴタイプ信号１３５及びフィルタ特性決定回路２０からのフィルタ特性指定信号１１２に基づいて、フィールド／フレームに適応的に特性可変フィルタ処理をするフィールド／フレーム適応特性可変低域通過フィルタである。
【００５２】
次に、実施の形態１と異なる部分の動作について説明する。動画像符号化の国際標準規格であるＩＳＯ／ＩＥＣ  １３８１８−２では、マクロブロック（ＭＢ）のＤＣＴの符号化モードに２種類あり、フレームでＤＣＴを行うフレームＤＣＴモードと、フィールドでＤＣＴを行うフィールドＤＣＴモードがある。そしてＤＣＴ符号化モードをＭＢ単位に切り替えることが可能である。
【００５３】
図６に輝度信号におけるフレームＤＣＴモードとフィールドＤＣＴモードの様子を示す。図において、フレーム内の各フィールドを模様で区別している。図６（ａ）ではフレームＤＣＴモードの様子を、図６（ｂ）ではフィールドＤＣＴモードの様子を示す。フレームＤＣＴモードにおいては、ＭＢ輝度信号を４個のブロックに分解し、ＤＣＴを行う際に各ブロックがフレームで構成されるように分解される。一方、フィールドＤＣＴモードにおいては、各ブロックがフィールドで構成されるように分解される。これら２種類のＤＣＴモードは、ＭＢ毎に規定されているＭＢタイプと呼ばれる情報コードに示されている。
【００５４】
これら２種類のＤＣＴモードを含む画像に、ブロック歪等の符号化雑音軽減等のためにフィルタ処理を施す場合、ＤＣＴタイプに基づいてフィールド／フレームに適応的にフィルタ処理を行うことにより画質を劣化させずに効果的にフィルタ処理を行うことができる。この様子を図７で示す。この図７は垂直方向に３ライン分をサンプルしてフィルタ処理を施す場合を示しており、縦軸を画面の垂直方向、横軸を時間にして、画面のラインの様子を示したものである。ＤＣＴタイプがフィールドモードの場合、フィルタは（ａ）に示したフィールド内ラインにフィルタ処理を行う。またＤＣＴタイプがフレームの場合、フィルタは（ｂ）に示したフレーム内ラインにフィルタ処理を行う。
【００５５】
図５における可変長復号化装置１１は、該当するＭＢのＤＣＴタイプの情報コードを復号化し、そのＤＣＴタイプ信号１３５をフィールド／フレーム適応特性可変低域通過フィルタ３９に出力する。また、可変長復号化装置１１は、該当するＭＢがイントラＭＢかどうかの情報コードを復号化し、その信号１０９をイントラＭＢ検出回路１９に出力する。さらに該当するピクチャがＩピクチャか、Ｐピクチャか、Ｂピクチャかを示す情報コードも復号し、その信号１１０をイントラＭＢ検出回路１９に出力する。
【００５６】
イントラＭＢ検出回路１９は、上記信号１０９、及び１１０を利用して、ピクチャ毎のイントラＭＢの発生数を算出し、その出力信号１１１をフィルタ特性決定回路２０に出力する。
【００５７】
フィルタ特性決定回路２０は、イントラＭＢ検出回路１９が発生する出力信号１１１に基づいてフィルタ特性を指定し、フィルタ特性指定信号１１２をフィールド／フレーム適応特性可変低域通過フィルタ３９に出力する。
【００５８】
フィールド／フレーム適応特性可変低域通過フィルタ３９は、上記フィルタ特性指定信号１１２及びＤＣＴタイプ信号１３３に基づいて、フィルタ特性、及びフィールドにフィルタ処理するかフレームにフィルタ処理するかを適応的に変化させてフィルタ処理を行う。
【００５９】
この実施の形態４では、イントラＭＢ検出回路１９から発生される信号１１１に基づいて、フィルタ特性決定回路２０が、ピクチャ毎のイントラＭＢ発生数が閾値以上の時は特性可変低域通過フィルタの通過帯域を狭くし、閾値以下の時は通過帯域を広くするように制御する。さらにフィールド／フレーム適応特性可変低域通過フィルタ３９は、ＤＣＴタイプ信号１３５に基づいて、フィールド／フレームに適応的にフィルタ処理を行う。このようにして、復号画像生成回路１６から出力された復号画像信号１０７は、上記フィールド／フレーム適応特性可変低域通過フィルタ３９を介して、解像度劣化を目立たせずに符号化雑音が軽減される。
【００６０】
なお、イントラＭＢを示す情報信号１０９はＭＢ毎に定められているので、フィルタの周波数特性の変更は、ピクチャ毎でも、マクロブロック毎でもよい。
【００６１】
また、この実施の形態４では、可変長復号化回路１１が当該ピクチャのピクチャタイプを示す信号１１０をイントラＭＢ検出回路１９に出力しているが、これを省略することができる。例えば、画面サイズが７２０画素×４８０ラインの場合、１６画素×１６ラインのＭＢは１３５０個含まれる。通常、Ｐピクチャ、Ｂピクチャの全てのＭＢがイントラＭＢである可能性は低いため、イントラＭＢが１３５０個ある場合は当該ピクチャはＩピクチャであると判断することができる。
【００６２】
また、実施の形態４では、ピクチャ毎のイントラＭＢの発生数に基づいて、上記フィールド／フレーム適応特性可変フィルタの周波数特性を変化させたが、この構成に限られるものではなく、例えば、動きベクトルの大きさに基づいてフィルタの周波数特性を変化させてもよい。
【００６３】
さらに、この実施の形態４では、ピクチャ毎のイントラＭＢ発生数が閾値以上のとき、通過帯域を狭くし、閾値以下のとき、通過帯域を広くなるように制御したが、閾値以上のときにフィルタ処理を行い、閾値以下のときにフィルタ処理を行わないというような制御方法としてもよい。
【００６４】
また、この実施の形態４では、フィルタ特性決定回路２０は、イントラＭＢ検出回路１９からの出力信号１１１を利用してフィルタ特性指定信号１１２を出力したが、前記出力信号１１１に加え、ＤＣＴタイプ信号１３５を利用してフィルタ特性指定信号１１２を出力するようにしてもよい。
【図面の簡単な説明】
【００６５】
【図１】この発明の実施の形態１である映像信号復号化装置のブロック図である。
【図２】実施の形態１の特性可変低域通過フィルタの一例を示すブロック図である。
【図３】この発明の実施の形態２である映像信号復号化装置のブロック図である。
【図４】この発明の実施の形態３である映像信号復号化装置のブロック図である。
【図５】この発明の実施の形態４である映像信号復号化装置のブロック図である。
【図６】フレームＤＣＴモードとフィールドＤＣＴモードを説明するための図である。
【図７】フィールド／フレーム適応フィルタ処理を説明するための図である。
【図８】従来の映像信号復号化装置のブロック図である。
【符号の説明】
【００６６】
１１  可変長復号化回路、  １２  逆スキャン回路、  １３  逆量子化回路、  １４  逆ＤＣＴ回路、  １５  動き補償回路、  １６  復号画像生成回路、  １８  特性可変低域通過フィルタ、  １９  イントラＭＢ検出回路、  ２０  フィルタ特性決定回路、  ２２，２３  １ライン遅延回路、  ２４，２５，２６，３０，３１，３２  乗算器、  ２７，３３  加算器、  ２８，２９  １サンプル遅延回路、  ３６  乗算係数発生回路、  ３７  電力差分決定回路、  ３８  領域選択回路、  ３９  フィールド／フレーム適応特性可変低域通過フィルタ、  １０６  動き補償回路の出力信号、  １０７  復号画像信号、  １０８  出力画像信号、  １０９  マクロブロックタイプ信号、  １１０  ピクチャタイプ信号、  １１１  イントラＭＢ検出回路の出力信号、  １１２  フィルタ特性指定信号、  １３３  電力差分信号、  １３４  選択された領域の復号画像信号、  １３５  ＤＣＴタイプ信号。
【図１】
2005312072.tif 000004
【図２】
2005312072.tif 000005
【図３】
2005312072.tif 000006
【図４】
2005312072.tif 000007
【図５】
2005312072.tif 000008
【図６】
2005312072.tif 000009
【図７】
2005312072.tif 000010
【図８】
2005312072.tif 000011